【手続補正書】
【提出日】平成18年9月14日(2006.9.14)
【手続補正１】
【補正対象書類名】明細書
【補正対象項目名】００１６
【補正方法】変更
【補正の内容】
【００１６】
他の実施例の部材フレームを有した膝人工器官を含んだ人工回転装置のための部材体を形成する方法にあっては、回転装置が揺動可能な雄タイプ部材を有しており、膝人工器官が回転装置に加えて関節丘膝表面を備えた大腿骨部材を有しており、かつ関節半月板関節表面を具えた脛骨部材を有している。
【手続補正２】
【補正対象書類名】明細書
【補正対象項目名】００３８
【補正方法】変更
【補正の内容】
【００３８】
機械加工のためにある種の初期未加工体は生のままでプレスされるが、他のものはビスケット（ｂｉｓｑｕｅ：締焼状態の磁器）を得るには加熱を必要とし、これが初期未加工体の形態であると考えられる。ジルコニアナノ粉体などのセラミック粉体は生で加圧状態で機械加工される。Ｍｇ−ＴＴＺへの変換のためのミクロ粉体などのセラミック粉体はビスケット状に加熱される。
【手続補正３】
【補正対象書類名】明細書
【補正対象項目名】００６９
【補正方法】変更
【補正の内容】
【００６９】
内側を向いた骨内部成長向上および／またはセメント粘着表面１０９（多孔粗面などのような）は基端側で奥方向を向いており、バンプ１０９Ｂを有している。ポリメチル・メタクリレートまたは他の外科セメントを有利に使用することもできる。隆起部１０９Ｒがフレーム１０１とフランジ１０４、１０５、１０６を画定・強化している。前後方向面内で定常な曲率半径を有する一般に凸状の大腿骨関節丘表面１１０は下側中間関節丘１１１、下側側方関節丘１１２、後部中間関節丘１１３、後部側方関節丘１１４を有しており、かつ前部中間関節丘１１５、前部側方関節丘１１６を有しているものと考えられる。
【手続補正４】
【補正対象書類名】明細書
【補正対象項目名】００７２
【補正方法】変更
【補正の内容】
【００７２】
一般に凸形状の大腿骨関節丘表面１１０は前後方向面内で定常な曲率半径であり、特に後部に下部中間関節丘１１１、下部側方関節丘（図示せず）、後部中間関節丘１１３、後部側方関節丘（図示せず）を有しており、かつ前部中間関節丘１１５および前部側方関節丘（図示せず）を有していると考えられる。
【手続補正５】
【補正対象書類名】明細書
【補正対象項目名】００８４
【補正方法】変更
【補正の内容】
【００８４】
大腿骨部材１００は大腿骨部材フレーム１０１を有しており、該フレームは単片セラミック構造である。フレーム１０１は側壁１０２と前壁１０３とを有している。前壁１０３は上部分１０３Ｕ、下部分１０３Ｌおよび／または孔１０３Ｈを有している。孔１０３Ｈはタップされてネジ３６を受ける。またフレーム１０１は頂部１０３Ｔを有することもできる。頂部１０３Ｔは孔１０３ＴＨと支持フランジ１０３Ｆとを有している。頂部１０３Ｔは内部に挿入可能な内骨髄大腿骨スパイク３７を収容できる。スパイク３７はボックス状モジュール３０の一部であって、該モジュールは側壁３２、前壁３４と頂部３３とを有している。前壁３４は上部分３４Ｕと下部分３４Ｌとを有している。壁３２、３４Ｕ、３４Ｌおよび頂部３３はそれぞれ壁１０２、１０３、１０３Ｕ、１０３Ｌおよび頂部１０３Ｔと接近会合している。孔３４Ｈは孔１０３Ｈと会合し、ネジ３６は孔３４Ｈ、１０３Ｈを通過している。Ｃｒ−Ｃｏ合金からなるスパイク３７はネジ付きのネジ収容孔３８を有しており、スパイク３７は金属ワッシャー３７Ｗと収容ネジ３９とにより孔１０３ＴＨを通って頂部１０３Ｔに固定されている。ネジ３９は孔１０３ＴＨを通ってボックス状モジュール回転装置３５０を頂部１０３Ｔに固定している。
【手続補正６】
【補正対象書類名】明細書
【補正対象項目名】００８５
【補正方法】変更
【補正の内容】
【００８５】
フレーム１０１は末端関節丘フランジ１０４、後部フランジ１０５、前部フランジ１０６、大腿骨ストック挿入ステム１０７および一体回転装置１５０のための壁孔１０８を有している。大腿骨ストック挿入ステムは別個に加えることのできるステム容器１０７Ｒに加えるステム１０７Ａであり、ステム１０７Ａはセットネジ１０７Ｓにより固定される。一緒に使われる大腿骨損失増加１０４Ａ、１０５Ａおよび別個に使われる１０４ＡＳ、１０５ＡＳはセラミックまたはチタンまたはカーボンファイバーなどの材料から形成され、タンタル蒸着によりコーティングされる。
【手続補正７】
【補正対象書類名】明細書
【補正対象項目名】００８６
【補正方法】変更
【補正の内容】
【００８６】
多孔または粗面である内向き骨内部成長向上表面１０９は基端奥方向に向かい、該表面１０９は当業界周知のタンタル蒸着技術によるコーティングでセラミックフレーム１０１を有している。凸状形状であり前後方向面内で定常曲率半径である大腿骨関節丘表面１１０は下部中間関節丘１１１、下部側方関節丘１１２、後部中間関節丘１１３、後部側方関節丘１１４を有しており、かつ前部中間関節丘１１５、前部側方関節丘１１６を有していると考えられる。
【手続補正８】
【補正対象書類名】明細書
【補正対象項目名】００９１
【補正方法】変更
【補正の内容】
【００９１】
ピン１６０が固定されると、引出し制約および／または回転制約パンチピン１６５の孔１５４および溝１６３内への挿入・嵌合によりセットされる。モジュールテーパーピン１６０の代りとして好ましくは公知のモールステーパー（Ｍｏｒｓｅ  ｔａｐｅｒ）１６４に関連してネジ１６６があってもよい。
【手続補正９】
【補正対象書類名】明細書
【補正対象項目名】００９２
【補正方法】変更
【補正の内容】
【００９２】
回転装置３５０は完全にモジュールであって、モジュールケース３０１中に下側に挿入可能であり、該ケースは好ましくはその壁１０２に適応し、該壁は例えば約１．５〜２．０度テーパー２Ｘの公知のブラウン・シャープテーパー（Ｂｒｏｗｎｅ  ＆  Ｓｈａｒｐｅ  ｔａｐｅｒ）を有しているか、または追加の部材３０としてスパイク３７を具えたボックス状モジュールにより与えられる同様のケースを有しており、Ｃｏ−Ｃｒ合金から形成され、かつ揺動可能な垂下雄タイプ部分を側壁３２を具えたケース３１中に有している。公知の制約ブラウン・シャープテーパー（Ｂｒｏｗｎ  ＆  Ｓｈａｒｐ  ｔａｐｅｒ）３２Ｘは約１．６〜２．１度であり、選択的な上壁３３は上孔３３ＴＨと前壁３４を有している。
【手続補正１０】
【補正対象書類名】明細書
【補正対象項目名】００９６
【補正方法】変更
【補正の内容】
【００９６】
脛骨部材２００は脛骨部材フレーム２０１を有しており、該脛骨部材フレームは脛骨トレイ２０２、蟻継ぎ線型挿入レール２０３、線型ストッパーランプまたは回転安全ストッパー２０４、特に捕捉錠止機構２０４Ｘの部分、中央ストッパー２０４Ｃを有している。フレーム２０１はネジ孔２０５を有しており、これを通って骨締結ネジ２０６が挿入される。フレーム２０１はステム２０７を有しており、これが収容カップ２０７Ｃ内部に挿入できる。カップ２０７Ｃはネジ付きでもよい。ステムは別個のステム２０７Ｑとして与えられ、これもネジ付きである。フレーム２０１を内移植した後でもステム２０７Ｑは孔２０７Ｈに挿入可能である。孔２０７Ｈはネジ付きであり、その場合、別個のステム２０７Ｑは外ネジを具えたヘッドを有している。ステム２０７は末端テーパー２０７Ｔおよび／または多数の末端リブ溝２０８を有している。加えてまたは代りに、フレーム２０１とステム２０７とは多数の下側フランジ２０８Ｆと内部を指向した骨内部成長向上表面２０９を有している。
【手続補正１１】
【補正対象書類名】明細書
【補正対象項目名】０１２８
【補正方法】変更
【補正の内容】
【０１２８】
【図１】ジルコニアセラミックの一般相を示すグラフである。
【図２】この発明による製造の構成を示す。
【図３】後部安定化大腿骨膝内植組織部材として具現されたこの発明の完成セラミック体の平面図である。
【図４】図３の部材の中央から側部にかけての側面図である。
【図５】図３の部材の前面図である。
【図６】図３の部材の後面図である。
【図７】線７Ｓ−７Ｓに沿って取った図３の部材の断面図である。
【図８】図３の部材の後斜視図である。
【図９】金属モジュール間大腿骨脚注および金属固定ワッシャー、金属ネジファスナー、後部安定化ストッパーのための金属またはセラミックペグを具えたモジュールセラミック膝内植組織を示す。
【図１０】単片単房室膝関節スペーサーの平面図である。
【図１１】単片単房室膝関節スペーサーの側面図である。
【図１２】二片単房室膝関節整列装置の側面断面図である。
【図１３】二片単房室膝関節整列装置の図１２に対して垂直に取った側面断面図である。
【図１４】滑動係合状態にある二片単房室膝関節整列装置の平面図である。
【図１５】一時的下顎骨関節内植組織キャップである。
【図１６】工業用ベアリングの斜視図である。
【図１７】流量制御装置の平面図である。
【図１８】ギア群の拡大図である。
【図１９】プーリー群の拡大図である。
【図２０】回転装置を具えた人工義肢膝関節内植組織のための完成ベース部材のこの発明による製造計画を示す。
【図２１】回転装置を具えたベース大腿骨部材体などの大腿骨、脛骨部材間に少なくともセラミック部材体を有した人工義肢膝関節の前部である。
【図２２】図２１の関節の拡大図である。
【図２３】図２１、２２の関節のための大腿骨部材の左側面図である。
【図２４】図２３の大腿骨部材の後面図である。
【図２５】図２２〜２４の大腿骨部材の回転装置の左側面図である。
【図２６】図２２に示すような関節の回転装置大腿骨・脛骨テーパーピンの側面図である。
【図２７】回転装置とセラミック体を有したこの発明の他の人工義肢膝関節の大腿骨部材の拡大斜視図である。
【図２８】図２７の大腿骨部材を有した義肢膝関節の拡大側面図である。
【図２９】大腿骨部材中に位置する骨損失を受容する数個の増加を有した図２８の関節の前組立て状態の斜視図である。
【図３０】種々の大腿骨増加部分の側面図である。
【図３１】図２８の関節内に見られる脛骨ベース板の側面図である。
【図３２】図３１の脛骨ベース板の斜視図である。
【図３３】図３１の脛骨ベース板と一緒に使用される部分的脛骨増加部分の斜視図である。
【図３４】図２７などのような患者を大腿骨部材に装着させる適宜寸法のモジュール回転装置を具えたセラミック一時的大腿骨部材の斜視図である。
【図３５】図２７などのような患者を大腿骨部材に装着させる骨の欠如を補うスナップ増加部分を具えたセラミック一時的大腿骨部材の斜視図である。増加された一時的部材は大腿骨一時的部材にスナップしている。
【図３６】図２７のような大腿骨部材の内植組織のためのセラミック大腿骨一時的切断ガイドの切除大腿骨中基端方向の側面図である。
【図３７】図２７のような大腿骨部材の内植組織のためのセラミック大腿骨一時的切断ガイドの切除大腿骨中後方向の側面図である。
【図３８】この発明のモジュールセラミック人間膝関節の前後方向断面図である。
【図３９】図３８の関節の後断面図である。
【図４０】図３８、３９と同様な軸（テーパー）ピンのピンタイプ取付けを有したこの発明のモジュールセラミック膝関節の展開後断面図である。
【図４１】モジュールーインーモジュールであるモジュールを具えたセラミック大腿骨膝部材の展開前後方向断面図である。
【図４２】トップ−挿入ステムであるモジュールを具えたセラミック大腿骨膝部材の展開前後方向断面図である。
【図４３】ステムを具えた単片回転装置であるモジュールを具えたセラミック大腿骨膝部材の展開前後方向断面図である。
【図４４】図４１〜４３の大腿骨部材フレームの後断面図である。
【図４５】図３８、３９のモジュール関節の揺動可能垂下雄タイプ部分を具えた挿入可能回転装置の前後方向断面図である。
【図４６】図４５の挿入可能回転装置の後断面図である。
【図４７】この発明のモジュールセラミック脛骨トレイの他の実施例の拡大側面図である。
【図４８】図４７のトレイの展開後面図である。
【図４９】この発明のモジュールセラミック脛骨トレイの他の実施例の展開後面図である。
【図５０】左人間膝内植組織のためのジルコニアセラミック十字形保持大腿骨部材内植組織の左前斜視平面図である。
【図５１】左人間膝内植組織のためのジルコニアセラミック十字形保持大腿骨部材内植組織の底面図である。
【図５２】セラミック単房室大腿骨部材関節丘内植組織の後斜視図である。
【図５３】左人間膝のためのセラミック皿状大腿骨関節内植組織の上後斜視図である。
【図５４】左人間膝のためのセラミック皿状大腿骨関節内植組織の前斜視図である。
【図５５】ディスクの交換のための隣接対面脊椎体の内植組織のための脊髄間脊椎ユニットを示す図であり、一部材を断面で示したキャップまたはカップ取付けスタイルの側面展開図である。
【図５６】ディスクの交換のための隣接対面脊椎体の内植組織のための脊髄間脊椎ユニットを示す図であり、一部材を矢印４１Ａに沿ってとったキャップまたはカップ取付けスタイルの上面図である。
【図５７】ディスクの交換のための隣接対面脊椎体の内植組織のための脊髄間脊椎ユニットを示す図であり、一部材を断面であるペグまたは脚注取付けスタイルの側面展開図である。
【図５８】ディスクの交換のための隣接対面脊椎体の内植組織のための脊髄間脊椎ユニットを示す図であり、一部材を矢印４２Ａに沿ってとった上面図であるペグまたは脚注取付けスタイルの上面図である。
【図５９】足首内植組織ユニットを示し、半内植組織である距骨キャップの上面図である。
【図６０】足首内植組織ユニットを示し、半内植組織である距骨キャップの底面図である。
【図６１】足首内植組織ユニットを示し、半内植組織である距骨キャップの側面図である。
【図６２】足首内植組織ユニットを示し、半内植組織である距骨キャップの前面図である。
【図６３】足首内植組織ユニットを示し、脛骨トレイ、側面図である。
【図６４】足首内植組織ユニットを示し、脛骨トレイ、前面図である。
【手続補正１２】
【補正対象書類名】図面
【補正対象項目名】全図
【補正方法】変更
【補正の内容】
【図１】
2006523156.tif 000001
【図２】
2006523156.tif 000002
【図３】
2006523156.tif 000003
【図４】
2006523156.tif 000004
【図５】
2006523156.tif 000005
【図６】
2006523156.tif 000006
【図７】
2006523156.tif 000007
【図８】
2006523156.tif 000008
【図９】
2006523156.tif 000009
【図１０】
2006523156.tif 000010
【図１１】
2006523156.tif 000011
【図１２】
2006523156.tif 000012
【図１３】
2006523156.tif 000013
【図１４】
2006523156.tif 000014
【図１５】
2006523156.tif 000015
【図１６】
2006523156.tif 000016
【図１７】
2006523156.tif 000017
【図１８】
2006523156.tif 000018
【図１９】
2006523156.tif 000019
【図２０】
2006523156.tif 000020
【図２１】
2006523156.tif 000021
【図２２】
2006523156.tif 000022
【図２３】
2006523156.tif 000023
【図２４】
2006523156.tif 000024
【図２５】
2006523156.tif 000025
【図２６】
2006523156.tif 000026
【図２７】
2006523156.tif 000027
【図２８】
2006523156.tif 000028
【図２９】
2006523156.tif 000029
【図３０】
2006523156.tif 000030
【図３１】
2006523156.tif 000031
【図３２】
2006523156.tif 000032
【図３３】
2006523156.tif 000033
【図３４】
2006523156.tif 000034
【図３５】
2006523156.tif 000035
【図３６】
2006523156.tif 000036
【図３７】
2006523156.tif 000037
【図３８】
2006523156.tif 000038
【図３９】
2006523156.tif 000039
【図４０】
2006523156.tif 000040
【図４１】
2006523156.tif 000041
【図４２】
2006523156.tif 000042
【図４３】
2006523156.tif 000043
【図４４】
2006523156.tif 000044
【図４５】
2006523156.tif 000045
【図４６】
2006523156.tif 000046
【図４７】
2006523156.tif 000047
【図４８】
2006523156.tif 000048
【図４９】
2006523156.tif 000049
【図５０】
2006523156.tif 000050
【図５１】
2006523156.tif 000051
【図５２】
2006523156.tif 000052
【図５３】
2006523156.tif 000053
【図５４】
2006523156.tif 000054
【図５５】
2006523156.tif 000055
【図５６】
2006523156.tif 000056
【図５７】
2006523156.tif 000057
【図５８】
2006523156.tif 000058
【図５９】
2006523156.tif 000059
【図６０】
2006523156.tif 000060
【図６１】
2006523156.tif 000061
【図６２】
2006523156.tif 000062
【図６３】
2006523156.tif 000063
【図６４】
2006523156.tif 000064